Podtech/llm-jp-corpus-v4-ja_patent huggingface dataset:
(57)【要約】【課題】髪に触れる面を大きくし、また、タオルを二重にすることにより、水分の吸収力を高め早く髪が乾くようにし、片手でもタオルを動かしやすいようにする。【解決手段】二重にしたタオルをミトン型にして髪に触れる面を大きくし、タオルの上に５本指手袋をつけ、指の間に縫い目をつけて、タオルを動かしやすくした。また、手袋入り口にゴムをつけて手を抜けにくくした。【選択図】  図１
0003106841.tif 000002
【実用新案登録請求の範囲】
【請求項１】
ミトン型の二重にしたタオルで髪に触れる面を大きくして水分の吸収力を高め、５本指の手袋を上につけることにより動かしやすくしたタオル。
【考案の詳細な説明】
【考案の詳細な説明】
【考案を解決しようとする課題】
【００１】ドライヤーで髪を乾かす時に、タオルをあてながら乾かすと早く乾き、直接熱をあてるよりも傷みも少なくできるが、普通のタオルでは片手で持って拭きながら乾かす作業はしづらいという問題点があった。
【課題を解決するための手段】
【００２】ミトン型にすることにより、手袋型より髪に触れる面を大きくし、上に５本指手袋をつけ、さらに指の間に縫い目をつけることにより指を動かしやすくした。タオルは二重にし、水分の吸収力も高めた。また、手の入り口にゴムをつけることに手を抜けにくくし、誰にでも使いやすくした。
【考案の効果】
【００３】タオルを二重にすることにより水分の吸収力が高まり、ミトン型にすることにするより手袋型より髪に触れる面大きくなり、髪が早く乾く。また、５本指手袋の入り口にゴムがついているので抜けにくく、さらに指の間に縫い目をつけることにより指が動かしやすい。
【図面の簡単な説明】
【図１】ミトン型のタオルに５本指手袋をつけた平面図である。
【図２】指の間に縫い目をつけた髪に触れる面の平面図である。
【符号の説明】
１  タオル本体
２  ５本指手袋
３  手袋入り口のゴム部分
４  指の間の縫い目
５  引っ掛けることのできる布製の紐の輪
【図１】
0003106841.tif 000003
【図２】
0003106841.tif 000004
(57)【要約】【課題】請求項１に記載した、防寒は衣服で皮膚を覆って体温の発散を防ぐものであるが、暖かい空気は最も上方の衿の隙間から逃げる。その為、これを防ぐには衿元から首に密着させる必要がある。つまり、首部の部分は覆われるが、首の付け根が空き、冷たい空気が入りやすい。本考案は端部を広げ、少し空きのある上着でも衿元から冷たい空気が入ってくるのを防ぐ。人体の中で最も冷たさに敏感な首部を保温でき、保温性、伸縮性に優れ、セーター一枚分の暖かさを実感できる。更に軽く、コンパクトで、持ち運びに最適な衿巻きを提供する。【解決手段】  総針編地部をフリル状スカート部に編み続けて広がりを付け、縁部を縫製して、円筒状に仕上げ、コンパクトで軽く、上着などの下につけて、肌に接触しても不快感が無く、肌感触も良好である。【選択図】        図４
0003106842.tif 000002
【実用新案登録請求の範囲】
【請求項１】
編目がコースに連続しているウェールによって構成される編物であり、第１図のリブ編地に連続した総針編地のスカート部を具し、フリル状に編み続けた二組織を有する、角１，２、角３，４をとじ合せることによって、円筒状にして伸縮性、保温性を有する事を特徴とする衿巻。
【考案の詳細な説明】
【技術分野】
【０００１】
本考案は、人体の衿元から首までに装着して使用する衿巻に関する。
【背景技術】
【０００２】
防寒や装飾を目的として、衿元から首に装着して使用する衣料用品である衿巻きには、その機能、用途により様々な大きさ、形などが有る。身体の衿元から首まで覆うために、ファッション性を有しているが、保温としての機能が不十分であった。
【０００３】
従来の衿巻きは、絹や化学繊維等の織物や、毛糸の編物などであるが、織物は縦糸、横糸で織られるのに対して、編物は糸を連続して編まれており、保温性、に優れているが、首部に一回転とか二回転させて使用するために、衿元の保温には不十分であった。
【特許文献１】特開平８−２９１４０７
【考案の開示】
【考案が解決しようとする課題】
【０００４】
防寒は、衣服で皮膚を覆って体温の発散を防ぐものであるが、暖かい空気は最も上方の衿の隙間から逃げるという欠点が有りこれを防ぐには衿元から首に密着させる必要がある。特許公開平８−２９１４０７にも記載例があるが、この場合だと、首部の部分は覆われるが、首の付け根が空き、冷たい空気が入りやすい。本考案は端部を広げ、少し空きのある上着でも衿元から冷たい空気が入ってくるのを防ぐ必要がある。
【０００５】
本考案は、人体の中で最も冷たさに敏感な首部を保温でき、保温性、伸縮性に優れ、セーター一枚分の暖かさを実感できる。更に軽く、着脱も容易であり、持ち運びに最適であるということを目的とする。
【課題を解決するための手段】
【０００６】
本考案の衿巻は、総針編地をフリル状スカート部に編み続けて広がりを付ける事を特徴とする。
【０００７】
本考案の衿巻は請求項1記載の衿巻は縁部を縫製して、円筒状になるため伸縮性、保温性を持たせたことを特徴とする。
【０００８】
本考案の衿巻はコンパクトで軽く、上着などの下につけて、肌に接触しても不快感が無く、肌感触も良好であることを特徴とする。
【考案の効果】
【０００９】
本考案による一枚の編地の縁部を縫製することで、円筒状になり、伸縮性、保温性に優れ、端部が広がっている為に、暖かい空気を衿元から逃がすことなく、肌感触にも優れ、コンパクトで軽く、上着などの下に付けてもなおいっそうの防寒効果がある。
【考案を実施するための最良の形態】
【００１０】
本考案の一実施の形態を図面に基づいて説明する。
【００１１】
本考案の衿巻は、二組織が連続した一枚の編地、図１を半分に折り縁部を縫製することで、コンパクトで軽い衿巻で有り、連続して編成することによって量産可能となり、経済性にも優れている。
【図面の簡単な説明】
【００１２】
【図１】本考案のー実施の形態の衿巻の平面図である。
【図２】本考案のー実施の形態の衿巻の編地の縁部を縫製した図である。
【図３】本考案のー実施の形態の衿巻の上からの平面図である。
【図４】本考案のー実施の形態の衿巻の人体に付けた図である。
【符号の説明】
【００１３】
１      角
２      角
３      角
４      角
５      頭
６      リブ編部
７      総針編部(フリル状スカート部)
【図１】
0003106842.tif 000003
【図２】
0003106842.tif 000004
【図３】
0003106842.tif 000005
【図４】
0003106842.tif 000006
【手続補正書】
【提出日】平成16年9月15日(2004.9.15)
【手続補正１】
【補正対象書類名】実用新案登録請求の範囲
【補正対象項目名】全文
【補正方法】変更
【補正の内容】
【実用新案登録請求の範囲】
【請求項１】
編目がコースに連続しているウェールによって構成される編物であり、リブ編地に連続して総針編地にスカート部を具し、フリル状に編み続けた二組織を有する編地を半分に折り縁部をとじ合せることによって、円筒状にして伸縮性、保温性を有する事を特徴とする衿巻。
(57)【要約】【課題】この考案は、一般的なダーツゲーム用の矢の先端に装着し、矢を筆記用具へと転用する先端部に関するものである。【解決手段】一般的なダーツゲーム用の矢の先端部はねじ込み式により交換が可能である。この交換可能な先端部と同一のねじ直径にカラー（４）を成型し、その中心に筆記具（５）を備える。【選択図】  図３
0003106838.tif 000002
【実用新案登録請求の範囲】
【請求項１】
中心部に貫通した穴をもつカラー（４）に筆記具（５）を取り付ける。
【請求項２】
筆記具はボールペン、鉛筆などから成る。
以上の如く構成された、ダーツゲーム用の矢に装着する先端部。
【考案の詳細な説明】
【考案の詳細な説明】
【技術分野】
【０００１】  この考案は、ダーツゲーム用の矢を筆記用具として利用するために装着する、筆記具を取り付けた矢の先端部に関するものである。
【背景技術】
【０００２】  従来、ダーツゲームに使用する矢の先端部でも交換式のものは存在したが、それらはダーツボードへ矢を刺さりやすくするためだけのものであって、ゲーム以外の用途に使用できる製品は存在しなかった。競技における技術向上のためには常に矢を握ってその感触を確かめることが肝要であり、競技者の間では日常の用途にも転用できるダーツゲーム用の矢が存在すれば好ましいと考えられていた。
【考案が解決しようとする課題】
【０００３】  本案は、筆記具を内蔵したダーツゲームに用いる矢の先端部を開発し、従来の先端部と交換することで筆記用具への転用を図ったものである。
【問題を解決するための手段】
【０００４】  いまその解決手段を図面に追いながら説明すれば、
（イ）〔図１〕は一般的なダーツゲーム用の矢の側面図であるが、（１）従来の矢の先端部は通常、交換式となっており、（２）矢の本体部分との接合はお互いに切られた同一直径の（３）ねじ、による。なお、このねじ直径は多くの市販品では共通となっている。
（ロ）（１）従来の矢の先端部と同様のねじ直径を持つ（４）カラーを作成し、その中心に（５）筆記具を装着する。
以上の構成からなる、ダーツゲーム用の矢に装着する筆記具を備えた先端部である。
【考案を実施するための最良の形態】
【０００５】  本案は、以上のような構造であるから、これを使用するときは、競技者おのおのが所有する（２）矢の本体部分に本考案である〔図３〕筆記具を備えた先端部を装着する。この先端部のねじ直径は（１）従来の矢の先端部と同一であり、またねじ込み式のため交換が容易である。
【考案の効果】
これにより、競技者はダーツゲームに使用する矢を筆記用具へと転用でき、日常の使用を通して投擲技術の向上を図ることができる。
【図面の簡単な説明】
【図１】  一般的なダーツゲーム用の矢の側面図
【図２】  従来の矢の先端部についての拡大図
【図３】  本考案の側面拡大図
【図４】  カラーの拡大斜視図
【図５】  一般的なダーツゲーム用の矢に本考案を装着した例
【符号の説明】
１は従来の矢の先端部
２は矢の本体部分
３はねじ
４はカラー
５は筆記具
【図１】
0003106838.tif 000003
【図２】
0003106838.tif 000004
【図３】
0003106838.tif 000005
【図４】
0003106838.tif 000006
【図５】
0003106838.tif 000007
【手続補正書】
【提出日】平成16年8月24日(2004.8.24)
【手続補正１】
【補正対象書類名】実用新案登録請求の範囲
【補正対象項目名】全文
【補正方法】変更
【補正の内容】
【実用新案登録請求の範囲】
【請求項１】
（１）中心部に貫通した穴を持つカラー（４）に筆記具（５）を取り付ける。
（２）矢の本体部分（２）と本考案である先端部との接合部は、交換可能なように取り付け方法を（３）ねじ式とする。
以上から成るダーツゲーム用の矢に装着する、筆記具を備えた先端部。
【手続補正２】
【補正対象書類名】明細書
【補正対象項目名】０００４
【補正方法】変更
【補正の内容】
【０００４】いまその解決手段を図面に追いながら説明すれば、
（イ）図１は従来用いられている一般的なダーツゲーム用の矢の側面図であるが、この従来の矢の先端部（１）は通常、交換式となっており、矢の本体部分（２）との接合はお互いに切られた同一直径のねじ（３）による。なお、このねじ直径は多くの市販品では共通となっている。
（ロ）従来の矢の先端部（１）と同様のねじ直径を持つカラー（４）を作成し、その中心に筆記具（５）を装着する。以上の構成から成る、ダーツゲーム用の矢に装着する、筆記具を備えた先端部である。
【手続補正３】
【補正対象書類名】明細書
【補正対象項目名】０００５
【補正方法】変更
【補正の内容】
【０００５】本案は、以上のような構造であるから、これを使用するときは、競技者おのおのが所有する矢に取り付けられている、従来の矢の先端部分（１）を取り外し、矢の本体部分（２）に本考案である図３を装着する。本考案図３のねじ直径（３）は従来の矢の先端部（１）のねじ直径（３）と同一であり、また、ねじ式のために交換が容易である。
【手続補正４】
【補正対象書類名】図面
【補正対象項目名】全図
【補正方法】変更
【補正の内容】
【図１】
0003106838.tif 000008
【図２】
0003106838.tif 000009
【図４】
0003106838.tif 000010
【図５】
0003106838.tif 000011
(57)【要約】【課題】パソコン教室において個別レッスンを実施する場合指し棒は使用せず直接モニター上を指差す為モニターが指紋で汚れる、又通常のボールペンでモニター上を示すと生徒の印象はあまり良くない。【解決手段】ボールペンの後端をマウスポインターの形状とし指し棒として使用する。これによりモニター上を直接指で触れることが無くなりモニターを汚すことが無くなる。生徒の印象も通常のペンに比べ良好である。【選択図】  図１
0003106840.tif 000002
【実用新案登録請求の範囲】
【請求項１】
ペンの後端部分をマウスポインタの形状としたペン
【考案の詳細な説明】
【技術分野】
【０００１】この実用新案はパソコン教室などで個別授業を行う時にモニター上を示す時に使用するマウスポインタ型ペンに関するものである。
【背景技術】
【０００２】パソコン教室や学習塾等の教育産業全体の傾向として個別授業方式を取り入れる教室が多くなってきた
【考案の開示】
【考案が解決しようとする課題】
【０００３】パソコン教室において個別レッスンを実施する場合指し棒は使用せず直接モニター上を指差す為モニターが指紋で汚れる、又通常のボールペンでモニター上を示すと生徒の印象はあまり良くない。
【課題を解決する手段】
【０００４】ボールペンの後端をマウスポインタの形状とし指し棒として使用する。
【考案の効果】
【０００５】モニター上を直接指で触れることが無くなりモニターを汚すことが無くなる。生徒の印象も通常のペンに比べ良好である。
【考案の活用】
【０００６】この実用新案はパソコンのモニター上を示す指し棒として使用する事を目的に考案いたしましたがモニター上だけでは無くテキストやカタログなどの一部を示す目的でも使用可能である。
【図面の簡単な説明】
【０００７】
【図１】ボールペン全体を示す正面図である。
【符号の説明】
【０００８】１  ボールペン後端部
２  ボールペン先端部
【図１】
0003106840.tif 000003
【手続補正書】
【提出日】平成16年9月3日(2004.9.3)
【手続補正１】
【補正対象書類名】実用新案登録請求の範囲
【補正対象項目名】全文
【補正方法】変更
【補正の内容】
【実用新案登録請求の範囲】
【請求項１】
ペンの後端部分を矢印の形状としたペン
(57)【要約】【課題】水中において使用されるバイブレーターのマッサージ効果の範囲を広げ肌触りの良いものとする【解決手段】振動機を水風船に密着させることにより水風船の表面全体に振動を伝え振動範囲を広げかつ、水風船の形状が体表面に応じて変形することで効率的に振動を人体に伝えることが可能となる。またゴム風船を使用することで肌触りを快適にし、取り替えが簡単にできるものとすることで衛生的にも良好なものとすることが可能である。【選択図】図１
0003106833.tif 000002
【実用新案登録請求の範囲】
【請求項１】
振動機を水風船と組合せることによりマッサージ効果の範囲を広げ、水中において肌触り良くかつ効率的に振動を人体に伝えるしくみ。
【考案の詳細な説明】
【技術分野】
【０００１】
本考案は、水中にて使用するバイブレーターに関するものである。
【背景技術】
【０００２】
水中で使用可能なバイブレーターは一般的にプラスチック製の振動機のみであり、水中で肌に触れさせた時に肌との接触部にのみ振動が伝わる為、マッサージ効果の範囲が少ないという欠点があった。
【０００３】
さらにプラスチック表面の硬い表面の振動である為、肌触りとしても不快なものである欠点もあった。
【考案の開示】
【考案が解決しようとする課題】
【０００４】
解決しようとする問題点はマッサージ効果の範囲が狭い点と不快な肌触りという点である。
【課題を解決するための手段】
【０００５】
本考案では振動機と水で満たしたドーナツ型のゴム風船を密着させることにより振動を風船表面に伝えることで振動範囲を広げ、ゴム風船を使用することで肌触りのよいものとするものである。
【考案の効果】
【０００６】
水で満たされたゴム風船に振動機を密着させることで風船の表面全体が振動する為マッサージ効果範囲が広がる。また風船表面のゴム質が水中で肌触り良く、更に体表面の形状に沿って風船表面が変形して密着する為効率的に振動を人体に伝えることが可能となる。
【考案を実施するための最良の形態】
【０００７】
振動機と水風船をいかに密着させ水風船全体に均等に振動が伝わるかが重要であるため、風船の形状をドーナツ型としその中央の穴に振動機をはめ込むことにより振動を全体に均一に伝えることが可能となる。また振動機の中央部をくびれたものとし、容易に水風船の穴から抜けてしまわない形状とする。なお振動機はゴム風船中央の穴に通してはまっているだけであるので風船の交換は容易であり衛生的にも良好な状態を維持できる。
【実施例１】
【０００８】
図１は本考案の実施例の上面図及び断面図である。
【図面の簡単な説明】
【０００９】
【図１】本考案の実施方法を示した説明図である。
【符号の説明】
【００１０】
１    ドーナツ型ゴム製風船
２    振動機
３    取り付け用吸盤装置
【図１】
0003106833.tif 000003
【手続補正書】
【提出日】平成16年1月26日(2004.1.26)
【手続補正１】
【補正対象書類名】実用新案登録請求の範囲
【補正対象項目名】全文
【補正方法】変更
【補正の内容】
【実用新案登録請求の範囲】
【請求項１】
振動機を水風船と組合せることによりマッサージ効果の範囲を広げ、水中において肌触り良くかつ効率的に振動を人体に伝える水中水風船バイブレーター。
【手続補正書】
【提出日】平成16年3月16日(2004.3.16)
【手続補正１】
【補正対象書類名】実用新案登録請求の範囲
【補正対象項目名】全文
【補正方法】変更
【補正の内容】
【実用新案登録請求の範囲】
【請求項１】
水で満たしたドーナツ型ゴム風船の中央穴部に固定用吸盤の付いた瓢箪型の振動機を差し込み密着させた物。
【手続補正２】
【補正対象書類名】明細書
【補正対象項目名】全文
【補正方法】変更
【補正の内容】
【考案の詳細な説明】
【技術分野】
【０００１】
本考案は、水中にて使用するバイブレーターに関するものである。
【背景技術】
【０００２】
水中で使用可能なバイブレーターは一般的にプラスチック製の振動機のみであり、水中で肌に触れさせた時に肌との接触部にのみ振動が伝わる為、マッサージ効果の範囲が少ないという欠点があった。
【０００３】
さらにプラスチック表面の硬い表面の振動である為、肌触りとしても不快なものである欠点もあった。
【考案の開示】
【考案が解決しようとする課題】
【０００４】
解決しようとする問題点は振動範囲が狭い点と硬く不快な肌触りという点である。
【課題を解決するための手段】
【０００５】
本考案では振動機を水で満たしたドーナツ型のゴム風船の中央穴部に密着させることにより振動を風船表面全体に伝えることで振動範囲を広げ、ゴム風船を使用することで肌触りのよいものとするものである。
【考案の効果】
【０００６】
ドーナツ型ゴム風船の中央に振動機を配置することでゴム風船表面に均等かつ効率的に振動を伝えることができる為マッサージ効果範囲が広がる。また風船表面のゴム質が水中で肌触り良く、更に体表面の形状に沿って風船表面が変形して密着する為効率的に振動を人体に伝えることが可能となる。
【考案を実施するための最良の形態】
【０００７】
振動機とゴム風船をいかに密着させゴム風船全体に均等に振動が伝わるかが重要であるため、風船の形状をドーナツ型としその中央の穴に振動機をはめ込むことにより振動を全体に均一に伝えることが可能となる。また振動機の中央部をくびれたものとし、容易に水風船の穴から抜けてしまわない形状とする。なお振動機はゴム風船中央の穴に通してはまっているだけであるので風船の交換は容易であり衛生的にも良好な状態を維持できる。
【実施例１】
【０００８】
図１は本考案の実施例の上面図及び断面図である。
【図面の簡単な説明】
【０００９】
【図１】本考案の実施方法を示した説明図である。
【符号の説明】
【００１０】
１    ドーナツ型ゴム製風船
２    振動機
３    取り付け用吸盤
(57)【要約】【課題】  人体の脳を覚醒させて記憶機能を補助する枕の提供。【解決手段】  枕本体の上部に複数の孔が七星状に配設され、該孔内に水晶球が嵌め込まれ、中央の水晶球が周辺の水晶球より大きく設けられ、人体脳部を枕本体の上に置いて休息、睡眠をとる時、水晶球を利用して人体の脳を覚醒させて記憶機能を補助する。【選択図】        図２
0003106802.tif 000002
【実用新案登録請求の範囲】
【請求項１】
枕本体の上部に一つ以上の孔が凹設され、該孔内に水晶球が嵌め込まれて水晶の具備する磁性機能を形成することを特徴とする、枕。
【請求項２】
請求項１記載の枕において、孔が七個設けられ、且つ七星状に配列されたことを特徴とする、枕。
【請求項３】
請求項１記載の枕において、孔が七個設けられ、中央の孔が周辺の孔より大きく設けられ、大きさの異なる水晶球の嵌め込みに供されることを特徴とする、枕。
【考案の詳細な説明】
【技術分野】
【０００１】
本考案は一種の枕に係り、特に枕内部に７個の異なる色の水晶球が埋め込まれ、七星状に配設された水晶球が脳部記憶機能を補助する枕の構造に関する。
【背景技術】
【０００２】
一般に伝統的な枕、例えば低反発枕は、全体構造が低反発樹脂で形成されて頸椎を支持するが、脳部に対してはなんの効果も無く、脳部の記憶を高めることはできない。
【考案の開示】
【考案が解決しようとする課題】
【０００３】
本考案は周知の製品の欠点を改善し、機能を増した枕を提供するものである。
【０００４】
即ち本考案は一種の枕を提供することを目的とし、それは、枕本体の上部に複数の孔が七星状に配設され、該孔内に異なる色の水晶球が嵌め込まれ、人体脳部を枕本体の上に置いて休息、睡眠をとる時、水晶球が人体の脳に対して発生する磁性変化を利用し、脳部の記憶機能を補助するものとする。
【課題を解決するための手段】
【０００５】
請求項１の考案は、枕本体の上部に一つ以上の孔が凹設され、該孔内に水晶球が嵌め込まれて水晶の具備する磁性機能を形成することを特徴とする、枕としている。
請求項２の考案は、請求項１記載の枕において、孔が七個設けられ、且つ七星状に配列されたことを特徴とする、枕としている。
請求項３の考案は、請求項１記載の枕において、孔が七個設けられ、中央の孔が周辺の孔より大きく設けられ、大きさの異なる水晶球の嵌め込みに供されることを特徴とする、枕としている。
【考案の効果】
【０００６】
本考案の枕は、枕本体の上部に複数の孔が七星状に配設され、該孔内に異なる色の水晶球が嵌め込まれ、人体脳部を枕本体の上に置いて休息、睡眠をとる時、水晶球が人体の脳に対して発生する磁性変化を利用し、脳部の記憶機能を補助する。
【考案を実施するための最良の形態】
【０００７】
図１及び図２に示されるように、本考案の枕本体１の上部には７個の孔１１が凹設され、該孔１１は七星状に配列され、そのうち中間の孔１１の直径が周辺の孔の直径よりも大きく、７個の異なる色の水晶球２が枕本体１の孔１１内に嵌め込まれ、そのうち、中央の水晶球の直径が周辺の水晶球の直径より大きい。
【０００８】
本考案は水晶が人体に対して有する覚醒、情緒緩和とリラックスの機能を枕に運用し、人体脳部が休息或いは睡眠状態を呈する時に、脳部の記憶を補助する効果を達成する。
【０００９】
総合すると、本考案の枕は水晶球が人体に対して有する脳の覚醒、記憶補助の機能を利用し、水晶球を枕本体の上部に埋め込み並びに七星状に配列し、水晶球が発生する磁性効果により、脳部が休息或いは睡眠状態にある時の記憶機能を高める。ゆえに本考案の実用性は明らかであり、また本考案は未公開であり、実用新案登録の要件に符合する。
【図面の簡単な説明】
【００１０】
【図１】本考案の斜視図である。
【図２】本考案の分解図である。
【符号の説明】
【００１１】
１  枕本体                １１  孔          ２  水晶球
【図１】
0003106802.tif 000003
【図２】
0003106802.tif 000004
(57)【要約】      （修正有）【課題】装飾花瓶を提供する。【解決手段】主に装飾板１、花瓶本体２により構成する。装飾板上には挿入固定槽１０を設置し、花瓶本体上には嵌合ブロック２１を設置する。花瓶本体の嵌合ブロックは装飾板の挿入固定槽内に嵌設し、花瓶本体を装飾板上に固定する。装飾板の背面には固定接続部品３(ネジ、磁石、吸盤、マジックテープ（登録商標）、両面テープなど)を設置し、装飾板を生花をいけようとする位置(骨壷収納箱の正面、壁面、冷蔵庫、滑らかな平面及びガラス面など)上に固設し、花瓶本体内に生花をいけ、環境の美化を増進することができる。【選択図】図１
0003106803.tif 000002
【実用新案登録請求の範囲】
【請求項１】
主に装飾板、花瓶本体を含み、
該装飾板上には少なくとも一個の挿入固定槽を設置し、
前記花瓶本体上には開口部を形成し、該花瓶本体の外壁面には嵌合ブロックを設置して前記装飾板の挿入固定槽上に嵌設し、
該装飾板を骨壷収納箱の正面、壁面、冷蔵庫の滑らかな平面、及び、ガラス面などの生花をいけようとする固定面上に固設し、該花瓶本体内に生花をいけ、環境の美化を増進することを特徴とする装飾花瓶。
【考案の詳細な説明】
【技術分野】
【０００１】
本考案は一種の装飾花瓶に関し、環境の美化を増進する装飾花瓶に係る。
【背景技術】
【０００２】
一般に室内に生花をいけ環境の美化を図ろうとする時には、多くの人は花を花瓶にいけ、テーブル上、棚上などの平面に置く。
しかし、花瓶を置くことができる場所は限られており、思い通りに置くことができないため、壁に飾りたい場合には、例えば、特許文献１に見られるように、棚を付けたり、壁に台を設けその上に花瓶を置くことになる。けれども該花瓶は固定されていないため、衝撃を受け倒れ破損する恐れがある。
また祖先を祭る時には一般に生花と果物を供えるが、大多数の家では故人のお骨を骨壷に納め、さらにその骨壷を骨壷収納箱に入れ並べる。しかし、該骨壷収納箱前面には花瓶の設計がないため、故人に生花を捧げることができず、故人を敬い尊重する気持ちを十分に表すことができない。
【特許文献１】特開２００２−８５２５１号公報
【考案の開示】
【考案が解決しようとする課題】
【０００３】
公知構造には以下の欠点があった。
すなわち、壁に生花を飾ろうとする場合、壁に台を設けその上に花瓶を置くことになるが、該花瓶は固定されていないため、衝撃を受け倒れ破損する恐れがある。
さらに、祖先を祭る場合に、骨壷収納箱前面に花瓶の設計がないため、故人に生花を捧げることができず、故人を敬い尊重する気持ちを十分に表すことができない。
本考案は上記構造の問題点を解決した装飾花瓶を提供するものである。
【課題を解決するための手段】
【０００４】
上記課題を解決するため、本考案は下記の構成の装飾花瓶である。
それは主に装飾板、花瓶本体、固定接続部品により構成し、
該装飾板上には少なくとも一個の挿入固定槽を設置し、
前記花瓶本体上には開口部を形成し、該花瓶本体の外壁面には嵌合ブロックを設置して前記装飾板の挿入固定槽上に嵌設し、該固定接続部品は該装飾板の背面に設置し、該装飾板を骨壷収納箱の正面、壁面、冷蔵庫、滑らかな平面及びガラス面などの生花をいけようとする固定面上に固設し、該花瓶本体内に生花をいけ、環境の美化を増進する装飾花瓶である。
すなわち、特に、一種の装飾板及び花瓶本体により構成し、装飾板上には挿入固定槽を設置し、花瓶本体上には嵌合ブロックを設置し、花瓶本体の嵌合ブロックは装飾板の挿入固定槽内に嵌設し、これにより花瓶本体を装飾板上に固定し、装飾板の背面には固定接続部品(ネジ、磁石、吸盤、マジックテープ（登録商標）、両面テープなど)を設置し、装飾板を生花をいけようとする位置(骨壷収納箱の正面、壁面、冷蔵庫、滑らかな平面及びガラス面)上に固設し、花瓶本体内に生花をいけるものである。
【考案の効果】
【０００５】
上記のように、本考案は使用者の必要に応じて、生花をいけようとする固定面上に装飾板を設置することができるため、別に台を設置する必要はなく花瓶本体を安定的に設置可能である。さらに、好みに応じて随時任意の場所に設置可能であるため、環境美化を増進することができる。
【考案を実施するための最良の形態】
【０００６】
本考案の好適な実施例を図面に沿って説明する。
図１に示すように、本考案の実施例は主に装飾板1、花瓶本体2及び固定接続部品3 により構成する。
該装飾板1は生花をいけようとする固定面(骨壷収納箱の正面、壁面、冷蔵庫、滑らかな平面及びガラス面など)上に固設する。該装飾板1は各種裝飾性を具えたデザインとし、該装飾板1上には少なくとも一個の挿入固定槽10を設置する。該挿入固定槽10は凹ほぞである。
該花瓶本体2は該装飾板1上に設置し、該花瓶本体2上には開口部20を形成する。該花瓶本体2の外壁面には嵌合ブロック21を設置し、該嵌合ブロック21は凸ほぞである。該花瓶本体2の外表面にはデザイン性を具えた装飾模様22を形成する。
該固定接続部品3は該装飾板1の背面に設置する。該固定接続部品3はネジ、磁石、吸盤、マジックテープ（登録商標）(面接合ファスナー)、両面テープとすることができる。
【０００７】
使用時には、図２、３に示すように、該装飾板1の背面に設置する固定接続部品3(ネジ、磁石、吸盤、マジックテープ（登録商標）、両面テープなど)により、該装飾板1を生花をいけようとする固定面上に固設する。
すなわち、故人の骨壷収納箱の正面4上(図３参照)、室内家具の平面上、ガラス面上及び壁面上の適当な位置に固設し、該花瓶本体2内に適量の水を入れ、該花瓶本体2の嵌合ブロック21を該装飾板1の挿入固定槽10内に嵌設する。次に、該花瓶本体2を該装飾板1上に固定すれば、生花を該花瓶本体2内にいけることができ、生花は吸水し長持ちする。こうして、本考案の実施例の裝飾花瓶を故人の骨壷収納箱の正面4上に設置することにより、故人を祭る時、該花瓶本体2上に生花をいけることができ、故人に対する敬いと尊重の気持ちを表すことができる。
また、該裝飾花瓶を生花をいけようとする位置に固設し生花をいけることにより、該位置には花の香が漂い楽しさとくつろぎをもたらし、家庭内環境の美化につながる。
【０００８】
該花瓶本体2内の水が花に吸水され無くなったり、或いは水を替えようとする時には、該花瓶本体2を該装飾板1上から取り外すだけで該花瓶本体2内部を洗浄し、新鮮な水に取り替えることができる。次に該花瓶本体2を該装飾板1上に設置すれば、該花瓶本体2の洗浄、水の交換は完了し、非常に便利である。
しかも、該装飾板1そのものがデザイン性を具えるため裝飾效果が高く、該裝飾花瓶に花をいけていない時にも、室内装飾の效果を発揮することができる。
なお、本考案の特徴を損なうものでなけれは、上記の実施例に限定されるものではないことは勿論である。
【図面の簡単な説明】
【０００９】
【図１】本考案の実施例の立体分解図である。
【図２】本考案の実施例の立体組合せ図である。
【図３】本考案の実施例の使用指示図である。
【符号の説明】
【００１０】
1  装飾板
10  挿入固定槽
2  花瓶本体
20 開口部
21 嵌合ブロック
22  装飾模様
3  固定接続部品
4  骨壷収納箱の正面
【図１】
0003106803.tif 000003
【図２】
0003106803.tif 000004
【図３】
0003106803.tif 000005
(57)【要約】      （修正有）【課題】通常の画鋲は殆んどの場合針の部分が紙の下の板等に入らず、浮いた状態になっていて、紙がピタッと、確り押さえられないのが現状である。本考案はピタッと紙を板に押さえる画鋲を提供する。【解決手段】画鋲１の円盤２の上側に１筋の側面より見て半円状をした突起部３を設ける。円盤の下につく針の長さも従来より短くして６ミリメートルとする。使用者は指を突起部３にかけ左右に捻り乍ら刺すので紙を板に確り固定できる。従来の様な紙が板に確り止まらず、浮いた状態になっている様な事は無くなる。又抜く時も指を突起部３にかけ捻り乍ら抜くので抜きやすい。円盤２と突起部はプラスチックで一体的に作られ針４は鉄である。【選択図】図１
0003106811.tif 000002
【実用新案登録請求の範囲】
【請求項１】
下に針のついた画鋲の円盤の上側に１筋の側面より見て半円状の突起部を設けた画鋲。
【考案の詳細な説明】
【技術分野】
【０００１】
本考案は、画鋲に関する。
【背景技術】
【０００２】
通常の画鋲は、殆んどの場合針の部分が紙の下の板等に全部は入らず浮いた状態になっている。紙がピタッと隙間なく板に押さえられない。
【特許文献１】特記すべき先行文献なし。
【非特許文献１】各社のパンフレット等には、この種のものは余りない。
【考案の開示】
【考案が解決しようとする課題】
【０００３】
本考案は、紙を下の板に確りピタッと、押さえられる画鋲を提供する。
【課題を解決するための手段】
【０００４】
本考案は、下に針のついた画鋲の円盤の上側に１筋の側面より見て半円状の突起部を設けた画鋲である。
【考案の効果】
【０００５】
使用者が突起部に指をかけ左右に捻り乍ら刺すので、確りとピタッと紙等が板に固定される。抜く時は、又指を突起部にかけ捻り乍ら抜くので、抜きやすい。
【考案を実施するための最良の形態】
【０００６】
画鋲１の円盤２に１筋の側面より見て半円状の突起部３を設ける。針４は円盤の下より出ている。突起部３は上より見て一方向１筋である。
【０００７】
針の長さを約６ミリメートルとし、通常の針の約１センチメートルより短くする。これにより、確りと紙を押さえられる。円盤の横幅は、約１．１センチメートルで、円盤の厚みは約２ミリメートル、突起部３の高さは約６ミリメートルで、突起部３の幅は約２．５ミリメートルが好ましい。
【０００８】
針４は鉄でできており、針の太さは約１ミリメートルであり、円盤２と突起部３はプラスチックで一体的に出来ている。
【産業上の利用可能性】
【０００９】
うまく紙が板に固定できない画鋲が広く出回っており、それに比してこれは確りと、紙を板に固定できるので、広く利用されることと思う。
【図面の簡単な説明】
【００１０】
【図１】斜視図である。
【図２】側面図である。
【図３】正面図である。
【図４】平面図である。
【符号の説明】
【００１１】
１  画鋲
２  円盤
３  半円状の突起部
４  針
【図１】
0003106811.tif 000003
【図２】
0003106811.tif 000004
【図３】
0003106811.tif 000005
【図４】
0003106811.tif 000006
(57)【要約】【課題】所望の形状に成型される一方で板紙の密度が変化しない、一枚の板紙から形成される板紙製食品容器を提供する【解決手段】板紙製食品容器は、一枚の板紙を用意する工程、前記板紙を高温のスチームの中に置き、板紙の含水量を増加させる工程、板紙を成型する工程、板紙を整形する工程を含む方法で形成される。また、板紙製食品容器は複数の壁及び丸角の角部を有する底板を含む。また、少なくとも一の分割用隆起部が底板の上面より伸びている。【選択図】図１
0003106814.tif 000002
【実用新案登録請求の範囲】
【請求項１】
下記１〜４の工程を含む方法により得られる板紙製食品容器：
工程１：一枚の板紙を用意する；
工程２：前記板紙を高温の蒸気の中に置き、板紙の含水量を増加させる；
工程３：前記工程２の板紙を成型する；
工程４：前記工程３の板紙を整形する。
【請求項２】
周壁を有する底板、該底板上面より伸びる少なくとも一の隆起部、丸角である該底板の各角部、及び該各角部の複数の強化用突出部を含む、一枚の板紙より形成される板紙製食品容器。
【考案の詳細な説明】
【技術分野】
【０００１】
本考案は、一枚の板紙より形成され、成型前に高湿度の環境におかれる板紙製食品容器に関する。
【背景技術】
【０００２】
従来の食品を入れる板紙製容器は長年にわたり発達し、多数の部位を必要とし、その後、それらの部位が所望の形状を構成するために接着されるといった共通の特性を含んでいる。より良い構造強度を得るため、前記部位は、葉状又は異なる部位を互いに接着する折り畳み部分といった特殊な形状を含有するよう形成される。一般的な板紙製食品容器は、一の底板を含有し、底板には複数の分割用リブを有し、異なる種類の食品を収容することができる。底板はその周囲に上方に向かい伸びるフランジを含有し、各リブは、接合板を含有し、底板に接着させることが出来る。所望の形状及び大きさに板紙を切断するために異なるタイプの裁断機が必要となる。その後、所望の３次元形状を得るために各裁断部は成型及び折り曲げられ、最終製品を構成するため各々接着される。従来の板紙製食品容器の一般的な欠点としては、接合された部位間で漏れが生じることであり、また従来の方法では、多くの小さな部分が板紙より裁断されるので、板紙に多くの不使用部分が発生する。
【考案の開示】
【考案が解決しようとする課題】
【０００３】
本考案が解決しようとする課題は、所望の形状に成型される一方で板紙の密度が変化しない、一枚の板紙から形成される板紙製食品容器を提供することである。
【課題を解決するための手段】
【０００４】
本考案は一枚の板紙より形成され、周壁を有する底板及び底板上面より伸びる少なくとも一の隆起部を含有する板紙製食品容器に関する。底板の各角部は丸角である。前記板紙製食品容器は、板紙を高温の蒸気の中に置いて、板紙の含水量を増やす工程、前記板紙を成型する工程、前記板紙を整形する工程を含む方法により形成される。板紙製食品容器は、周壁及び丸角を有する底板を含有する。少なくとも一の分割用隆起部が底板上面より伸びている。
【考案を実施するための最良の形態】
【０００５】
本考案は、好適な実施形態を例示する目的でのみで示される添付の図面と共に、以下の説明により明確となる。
【０００６】
図４に示すように、本考案の板紙製食品容器１０の第１の実施形態は以下の工程を含む方法により形成される。
工程１：一枚の板紙を用意する；
工程２：板紙の柔軟性を高めるよう、前記板紙を高温の蒸気の中に置き、板紙の含水量を増加させる；
工程３：食品を収容する陥凹部を定める周壁を有するよう、前記工程２の板紙を高温下で成型する；
工程４：前記工程３の処理を経た後板紙を整形する。
【０００７】
図１〜３に示すように、前記方法により形成される板紙製食品容器１０は矩形又は円形の形状をとり、容器の数は板紙の各枚を最大限に利用することができ、利用不可能な箇所を減少させることができる。板紙製食品容器１０は、型（モールド）の設定により形成された丸角を有し、分割用隆起部もまた容易に所望の位置に設けることができる。
【０００８】
板紙製食品容器１０は１枚の板紙によって形成され、分割用隆起部もまた底板と一体であるので、漏れを心配する必要がない。複数の強化用突出部（reinforcement protrusions）１１が各角部に設けられ、容器１０の構造的な強度を高めることができ、強化用突出部１１が薄くなった場合であっても、強化用突出部１１の密度は底板と同じとなる。この板紙製食品容器１０は、廃棄物を最小限にし、大量生産が容易に可能である。
【０００９】
ここに本発明の実施形態を説明したが、本発明の範囲を外れることなく更なる実施形態が実施可能であることは、当業者においては明らかである。
【図面の簡単な説明】
【００１０】
【図１】本発明の板紙製食品容器の第１の実施形態を示す透視図である。
【図２】本発明の板紙製食品容器の第２の実施形態を示す透視図である。
【図３】本発明の板紙製食品容器の第３の実施形態を示す透視図である。
【図４】本発明の板紙製食品容器の形成段階を示す流れ図である。
【符号の説明】
【００１１】
１０    板紙製食品容器
１１    強化用突出部
【図１】
0003106814.tif 000003
【図２】
0003106814.tif 000004
【図３】
0003106814.tif 000005
【図４】
0003106814.tif 000006
【手続補正書】
【提出日】平成16年9月7日(2004.9.7)
【手続補正１】
【補正対象書類名】実用新案登録請求の範囲
【補正対象項目名】全文
【補正方法】変更
【補正の内容】
【実用新案登録請求の範囲】
【請求項１】
周壁を有する底板、該底板上面より伸びる少なくとも一の隆起部、丸角である該底板の各角部、及び該各角部の複数の強化用突出部を含む、一枚の板紙より形成される板紙製食品容器。
【請求項２】
下記１〜４の工程を含む方法により得られる、請求項１に記載の板紙製食品容器：
工程１：一枚の板紙を用意する；
工程２：前記板紙を高温の蒸気の中に置き、板紙の含水量を増加させる；
工程３：前記工程２の板紙を成型する；
工程４：前記工程３の板紙を整形する。
(57)【要約】【課題】発熱源となる部品にファンの向きを調節し、直接熱を放出させる調節式放熱ファンを提供する。      【解決手段】調節式放熱ファンは、主にパソコンのホスト機内部の放熱を促すファン構造で、延長筒一端に配列凸紋を成形し、その上に長さが伸縮定位するカバー体を被せる。延長筒の別端は半球体で、その半球体表面には一面に凹槽が設置される。その上に半球カバー体を被せ、各種角度に調整して定位する。半球カバー体を機器外体の放熱ファン箇所に設置し、もうひとつのカバー体をＣＰＵもしくは電子部品等発熱源箇所の近くに設置する。それにより、発熱源から直接熱を放出する。【選択図】図１
0003106882.tif 000002
【実用新案登録請求の範囲】
【請求項１】
主に延長筒、カバー体、半球カバー体から構成された調節式放熱ファンにおいて、
一端の筒上に配列した凸紋が成形されて、その両側に縦向凸塊が設置され、別の一端には半球体が設置され、その半球体の表面には一面に凹槽が成形される延長筒と、
延長筒の筒体に被せ、その内径表面には凸紋に対応する槽溝が成形されて凸紋と掛合するカバー体と、
一端が半球体支持台で、その半球体支持台の適する位置にはネジが設置され、その上には一般のファンもしくは機器外体上のファンを設置するための固定孔が成形され、その半球体支持台に延長筒の半球体を被せ、角度を調節し、ネジを入れて任意の凹槽箇所で定位する半球カバー体から構成され、
カバー体で高さを調節し、半球カバー体で各種角度に調整して定位するので、半球カバー体を機器外体のファン箇所に固定し、別にカバー体をＣＰＵもしくは電子部品等発熱源近くに設置して発熱源から直接熱を放出することを特徴とする調節式放熱ファン。
【考案の詳細な説明】
【技術分野】
【０００１】
本考案は、調節式放熱ファンに関するもので、発熱源から熱エネルギーを直接放熱するものである。
【背景技術】
【０００２】
一般の電気及び電子製品は、そのホスト機が稼動することによって発熱及び熱の蓄積が発生する。そのため、通常の放熱方法として、装置に一枚から数枚の放熱ファンが設置される。しかし、この方法は熱を密閉空気中で回転させるだけで、その熱を放出することができないでいる。
また、一般にパソコンもしくは電気製品の例として、ＣＰＵ、コイル、変圧器、電源供給器もしくはハード機などに放熱機能が具わっているものもある。しかし、即時放熱効果を具えてはおらず、そのため熱が蓄積され、温度が上昇して機器を破損させることもある。
【考案の開示】
【考案が解決しようとする課題】
【０００３】
解決しようとする問題点は、発熱と同時に放熱できずに、熱を蓄積してしまう点である。
【課題を解決するための手段】
【０００４】
本考案は、主にパソコンのホスト機内部の放熱を促すファン構造で、延長筒一端に配列凸紋を成形し、その上に伸縮によって高さを調節して定位するカバー体を被せる。延長筒の別端は半球体で、その半球体表面には一面に凹槽が設置される。その上に半球カバー体を被せ、各種角度に調整して定位する。半球カバー体を機器外体の放熱ファン箇所に設置し、もうひとつのカバー体をＣＰＵもしくは電子部品等発熱源箇所の近くに設置することを最も主要な特徴とする。
【考案の効果】
【０００５】
本考案の調節式放熱ファンは、必要な角度に合わせて固定し、発熱源から直接熱を放出するという利点がある。
【考案を実施するための最良の形態】
【０００６】
図１、図２に示すとおり、本考案は、角度及び高度を調節する放熱ファンで、主に延長筒１、カバー体２、半球カバー体３等を含む。
【０００７】
この延長筒１の一端には配列した凸紋１１が成形され、その凸紋１１両側には縦向凸塊１２が設置される。延長筒１の別端は半球体１３が成形され、半球体１３表面には凹槽１４がいくつも設置される。
【０００８】
上述の延長筒１の筒体上にはカバー体２を被せる。その内径表面には凸紋１１に対応する槽溝２１、及び凸紋１１と掛合する凸縁２２が成形される。そのため、カバー体２は延長筒１の筒体に被さり、高さの伸縮及び定位が可能となる。
【０００９】
別に半球カバー体３は、その一端が半球支持台３１を形成し、その半球支持台３１の適する位置にはネジ３２が設置される。また一端は枠台３３で、枠台３３には予め一般的なファンもしくは機器外体用ファンを設置するための固定孔３４が成形されている。この半球支持台３１は延長筒１の半球体１３上に被さり、角度を調節する。更にネジ３２を複数成形された凹槽１４のうちから選んで設置し、定位させる。
【００１０】
図３及び図４に示すとおり、本考案はカバー体２で高さの伸縮調整を行い、半球カバー体３で様々な角度に調整し、ネジで固定する。
【００１１】
実施時、半球カバー体３を機器外体の放熱ファン箇所に固定し、別にカバー体２をＣＰＵもしくは電子部品等発熱源となる箇所に設置する。そのため、発熱源に対して直接ファンを回して放熱する。
【図面の簡単な説明】
【００１２】
【図１】本考案の分解立体図である。
【図２】本考案の立体図である。
【図３】本考案の実施例側面図である。
【図４】本考案の実施例で方向を調節した状態の側面図である。
【符号の説明】
【００１３】
１        延長筒
１１        凸紋
１２        縦向凸塊
１３        半球体
１４        凹槽
２        カバー体
２１        槽溝
２２        凸縁
３        半球形カバー体
３１        半球形支持台
３２        ネジ
３３        枠台
３４        固定孔
【図１】
0003106882.tif 000003
【図２】
0003106882.tif 000004
【図３】
0003106882.tif 000005
【図４】
0003106882.tif 000006
(57)【要約】  袋とじ部分を何ページでも本文の任意の個所に挿入でき、袋とじを開くのは一枚の紙を切り開けばよい袋とじ本を提供する。【解決手段】  本文に小口側が断裁されていない袋とじ部分が挿入された袋とじ本において、この袋とじ部分を、本文よりも幅寸法がやや小さい小口側が断裁された袋とじ本文を同じく幅寸法がやや小さい一枚の袋とじカバーで小口側を二つ折りにして包んだもので構成したことを特徴とする袋とじ本。【選択図】      図１
0003106857.tif 000002
【実用新案登録請求の範囲】
【請求項１】
本文に小口側が断裁されていない袋とじ部分が挿入された袋とじ本において、この袋とじ部分を、本文よりも幅寸法がやや小さい小口側が断裁された袋とじ本文を同じく幅寸法がやや小さい一枚の袋とじカバーで小口側を二つ折りにして包んだもので構成したことを特徴とする袋とじ本。
【請求項２】
袋とじ部分が本文の適宜な個所に挿入されている請求項１の袋とじ本。
【請求項３】
袋とじ部分が本文の全部である請求項１の袋とじ本。
【請求項４】
袋とじカバーの小口側の正面又はややずらせた位置に切り取り線又はミシン目が形成されている請求項１〜３いずれか１項の袋とじ本。
【考案の詳細な説明】
【技術分野】
【０００１】
本考案は、袋とじ本に関するものである。
【背景技術】
【０００２】
本の内容が青少年に悪影響を与えかねない成人誌等では、書店等での立ち読みを防止するために本全体をフィルムで覆ったり、バンドで括ったりしている。また、本文の小口側部分をシールで封印したりするものも見られる（特許文献１）。しかし、これらの作業には、材料費とともに、工作費もかかることから、本のコストを引き上げる。
【０００３】
一方、本全体ではないが、一度見てしまえば内容が知れて購買につながらないようなページを設けているものがある。また、購買した者だけが密かに見て楽しむページを設けているものもある。週刊誌等に多く見られるが、このような場合、当該ページを構成する折り丁の小口側を断裁しない、所謂、袋とじにしていることが多い。
【０００４】
しかし、このような袋とじは、折り丁がつながった部分は隠せても、分離された折り丁の表裏面に印刷されたものは隠せない。また、袋とじを開封するには、それぞれのページを一々切り開かなければならず、煩わしい操作を強いられる。さらに、袋とじにできるページは折り機で折ることができる最大で１６枚の３２ページまでで、それ以上の袋とじは実際問題無理である。
【特許文献１】特開２００２−１８７３７９公報
【考案の開示】
【考案が解決しようとする課題】
【０００５】
本考案が解決しようとする課題は、何ページでも袋とじにでき、しかも、その開封は、一枚の紙丁を切り開くのみで可能になるような袋とじ本を具現したものである。
【課題を解決するための手段】
【０００６】
以上の課題の下、本考案は、請求項１に記載の、本文に小口側が断裁されていない袋とじ部分が挿入された袋とじ本において、この袋とじ部分を、本文よりも幅寸法がやや小さい小口側が断裁された袋とじ本文を同じく幅寸法がやや小さい一枚の袋とじカバーで小口側を二つ折りにして包んだもので構成したことを特徴とする袋とじ本を提供するとともに、これにおいて、請求項２及び３の、袋とじ部分が本文の適宜な個所に挿入されている構成、袋とじ部分が本文の全部である構成、さらに、請求項４の、袋とじカバーの小口側の正面又はややずらせた位置に切り取り線又はミシン目が形成されている構成を提供したものである。
【考案の効果】
【０００７】
以上の本考案によると、隠したい、すなわち、袋とじにしたいページは何ページでも可能であり、かつ、本文の任意の個所に挿入できるとともに、場合によっては、本文全部を袋とじにすることも可能である。したがって、成人誌のシールに代えるようなことも可能である。また、袋とじの開封は、袋とじカバー一枚を切り開くだけでよいから、操作が容易、迅速である。
【考案を実施するための最良の形態】
【０００８】
以下、本考案の実施の形態を図面を参照して説明する。図１は本考案に係る袋とじ本を閉じた状態の側面図、図２は開いた状態の斜視図であるが、本自体は従来のものと変わらない。すなわち、本考案に係る本は、無線綴じ又は網代綴じのもので、所定枚数の本文１を一枚の表紙２でくるんだものである。なお、これらの本は、折り工程、丁合い工程、綴じ工程、断裁工程といった周知の工程によって製本される。
【０００９】
本考案に係る袋とじ本は、本文１の所定個所に所定枚数（ページ）で袋とじ部分３が形成されるものである。この袋とじ部分は、袋とじ本文４と袋とじカバー５とからなり、それぞれが通常の製本と同様にして製本される。すなわち、袋とじ本文４は、折り丁を丁合いし、完成したときに小口側となる側を断裁してそれぞれを分離したものにしておく。そして、この袋とじ本文４を一枚のペラの袋とじカバー５で完成本の小口側となる側で二つ折りにして包む。
【００１０】
図３は本文１の丁合いの状態を示す斜視図であるが、これが本文１を構成する一つの折り丁になり、他の折り丁６と重ねて（丁合いして）無線綴じ又は網代綴じでその背を表紙２に貼り付ける。なお、本文１と袋とじ部分３との丁合いは、機械丁合いでもよいし、手丁合いでもよい。そして、無線又は網代で綴じて小口、天及び地を三方断裁して完成本にする。
【００１１】
この断裁のときの小口側については、断裁ラインが袋とじカバー５にかかっては、袋とじ部分３が開封されるから、断裁ラインが袋とじカバー５にかからないように、袋とじカバー５（袋とじ本文４も同じ）の幅方向寸法は、他の折り丁６より所定寸法ａだけ短いものにしておく。このようにして、本文１の所望の個所に必要な枚数だけの袋とじ部分３を形成できることになる。したがって、袋とじ部分３を本文１全部に形成することも可能であるし、本文１の複数個所に形成することも可能である。
【００１２】
袋とじ部分３の開封は、袋とじカバー５だけを切り開けばよいのであり、こうすると、袋とじ本文４はすべて分離されているから、これらについては開封は必要ではない。なお、開封を容易にするために、切り取り線を印刷したり、ミシン目７を形成したりすることも考えられる。さらに、これら切取り線やミシン目は小口の正面に形成してもよいが、わずか位置をずらせて形成すれば、その位置がわかり易い。
【図面の簡単な説明】
【００１３】
【図１】本考案に係る本の側面図である。
【図２】本考案に係る本の斜視図である。
【図３】本考案に係る本の丁合いを示す斜視図である。
【符号の説明】
【００１４】
１    本文
２    表紙
３    袋とじ部分
４    袋とじ本文
５    袋とじカバー
６    折り丁
７    ミシン目
【図１】
0003106857.tif 000003
【図２】
0003106857.tif 000004
【図３】
0003106857.tif 000005